(57)【特許請求の範囲】
【請求項１】
垂直方向に積層された複数のタイヤの外周面に配置され、前記タイヤに関する情報が表示される情報表示物を支持する支持部と、
前記支持部にスライド可能に装着されるスライド部と、前記スライド部に折り曲げ可能に連なり、前記複数のタイヤのうちの隣り合う２つのタイヤに挟まれるスライド部材本体とを有する少なくとも１つのスライド部材と、
前記支持部に対して位置決めされた前記スライド部材を前記支持部に固定する固定部と
を備えていることを特徴とする情報表示物ホルダ。
【請求項２】
前記固定部が、
前記スライド部材本体に連結される連結部と、
前記連結部に折り曲げ可能に連なり、前記支持部と前記スライド部との間の摩擦力を高めて前記支持部に前記スライド部を固定する摩擦力増大部とを有する
ことを特徴とする請求項１に記載の情報表示物ホルダ。
【請求項３】
前記摩擦力増大部に接着され、前記スライド部材が左右方向に振れるのを妨げて前記スライド部材を上下方向と平行に動くように案内する振れ止め部材を更に備えている
ことを特徴とする請求項２に記載の情報表示物ホルダ。
【請求項４】
前記固定部が前記スライド部を前記支持部に固定する粘着テープである
ことを特徴とする請求項１に記載の情報表示物ホルダ。
【請求項５】
前記スライド部材は、
前記隣り合う２つのタイヤの少なくとも一方のタイヤの中心孔に入り込み、前記隣り合う２つのタイヤ間からの前記スライド部材本体の抜けを妨げるストッパ部を更に有している
ことを特徴とする請求項１〜４のいずれか１項に記載の情報表示物ホルダ。
【請求項６】
前記ストッパ部が前記スライド部材本体に折り曲げ可能に連なるとともに、前記ストッパ部が山形に折れ曲げ可能であり、
山形に折り曲げられた前記ストッパ部が、前記スライド部材本体に形成された孔に挿入されて前記スライド部材本体に連結される
ことを特徴とする請求項５に記載の情報表示物ホルダ。
【請求項７】
前記ストッパ部に、前記スライド部材本体に形成された孔の周縁部に引っ掛ける切欠きが設けられている
ことを特徴とする請求項６に記載の情報表示物ホルダ。
【請求項８】
少なくとも前記支持部と前記スライド部材とがそれぞれプラスチックダンボールをプレス加工することによって一体形成されている
ことを特徴とする請求項１〜７のいずれか１項に記載の情報表示物ホルダ。
【発明の詳細な説明】
【技術分野】
【０００１】
この発明は、垂直方向に積層された複数のタイヤの外周面に配置される情報表示物（例えばタイヤに関する情報が表示されたポップ等）を支持する情報表示物ホルダに関する。
【背景技術】
【０００２】
自動車用タイヤは、カー用品店、サービスステーション、タイヤ専門店等で、タイヤ台に積み上げられて陳列（いわゆる平積み陳列）されることがある。積層された複数のタイヤの外周面には、情報表示物ホルダを用いて、タイヤに関する情報が表示されたポップが配置される。
【０００３】
従来この種の情報表示物ホルダとして、タイヤ台に積層された複数のタイヤのうちの隣り合う２つのタイヤに挟まれるホルダ本体と、ホルダ本体に折り曲げ可能に連なり、ポップ等の情報表示物に接続される接続部とを備えているものがある（下記特許文献１参照）。
【０００４】
この情報表示物ホルダの使用方法の一例は次の通りである。
【０００５】
予めポップに接続部を接続しておき、接続部に対して垂直に折り曲げられたホルダ本体を、積層された複数のタイヤのうちの隣り合う２つのタイヤで挟む。
【０００６】
積層された複数のタイヤのうちの隣り合う２つのタイヤでホルダ本体が挟持されるので、接続部に接続された情報表示物が、積層された複数のタイヤの外周面に支持される。
【先行技術文献】
【特許文献】
【０００７】
【特許文献１】特許第６４４９５１０号公報
【発明の概要】
【発明が解決しようとする課題】
【０００８】
タイヤの展示販売の現場では、例えば、積層される４つのタイヤで構成される第１のタイヤ群と、この第１のタイヤ群に水平方向で隣接し、積層される４つのタイヤで構成される第２のタイヤ群と、この第２のタイヤ群に水平方向で隣接し、積層される４つのタイヤで構成される第３のタイヤ群とが、１つのタイヤ台に配置され、それぞれのタイヤ群に上述の情報表示物ホルダが装着されることがある。
【０００９】
もし各タイヤ群のタイヤの幅が等しければ、各タイヤ群に装着された情報表示物ホルダの上部の位置は一致するが、各タイヤ群のタイヤの幅が異なれば、各タイヤ群に装着された情報表示物ホルダの上部の位置は揃わないので、タイヤの展示販売上の美観が損なわれるだけでなく、ポップに表示された情報を客が見づらくなることもある。
【００１０】
この発明はこのような事情に鑑みてなされたもので、その課題は、水平方向で隣接する複数のタイヤ群のタイヤの幅が各タイヤ群毎に異なるときも、各タイヤ群に装着された情報表示物ホルダの上部の位置を揃えることができるようにすることである。
【課題を解決するための手段】
【００１１】
上述の課題を解決するため請求項１に記載の発明の情報表示物ホルダは、垂直方向に積層された複数のタイヤの外周面に配置され、前記タイヤに関する情報が表示される情報表示物を支持する支持部と、前記支持部にスライド可能に装着されるスライド部と、前記スライド部に折り曲げ可能に連なり、前記複数のタイヤのうちの隣り合う２つのタイヤに挟まれるスライド部材本体とを有する少なくとも１つのスライド部材と、前記支持部に対して位置決めされた前記スライド部材を前記支持部に固定する固定部とを備えていることを特徴とする。
【００１２】
請求項２に記載の発明は、請求項１に記載の情報表示物ホルダにおいて、前記固定部が、前記スライド部材本体に連結される連結部と、前記連結部に折り曲げ可能に連なり、前記支持部と前記スライド部との間の摩擦力を高めて前記支持部に前記スライド部を固定する摩擦力増大部とを有する。
【００１３】
請求項３に記載の発明は、請求項２に記載の情報表示物ホルダにおいて、前記摩擦力増大部に接着され、前記スライド部材が左右方向に振れるのを妨げて前記スライド部材を上下方向と平行に動くように案内する振れ止め部材を更に備えていることを特徴とする。
【００１４】
請求項４に記載の発明は、請求項１に記載の情報表示物ホルダにおいて、前記固定部が前記スライド部を前記支持部に固定する粘着テープであることを特徴とする。
【００１５】
請求項５に記載の発明は、請求項１〜４のいずれか１項に記載の情報表示物ホルダにおいて、前記スライド部材は、前記隣り合う２つのタイヤの少なくとも一方のタイヤの中心孔に入り込み、前記隣り合う２つのタイヤ間からの前記スライド部材本体の抜けを妨げるストッパ部を更に有していることを特徴とする。
【００１６】
請求項６に記載の発明は、請求項５に記載の情報表示物ホルダにおいて、前記ストッパ部が前記スライド部材本体に折り曲げ可能に連なるとともに、前記ストッパ部が山形に折れ曲げ可能であり、山形に折り曲げられた前記ストッパ部が、前記スライド部材本体に形成された孔に挿入されて前記スライド部材本体に連結されることを特徴とする。
【００１７】
請求項７に記載の発明は、請求項６に記載の情報表示物ホルダにおいて、前記ストッパ部に、前記スライド部材本体に形成された孔の周縁部に引っ掛ける切欠きが設けられていることを特徴とする。
【００１８】
請求項８に記載の発明は、請求項１〜７のいずれか１項に記載の情報表示物ホルダにおいて、少なくとも前記支持部と前記スライド部材とがそれぞれプラスチックダンボールをプレス加工することによって一体形成されていることを特徴とする。
【発明の効果】
【００１９】
この発明は、水平方向で隣接する複数のタイヤ群のタイヤの幅が各タイヤ群毎に異なるときも、各タイヤ群に装着された情報表示物ホルダの上部の位置を揃えることができる。
【図面の簡単な説明】
【００２０】
【図１】図１はこの発明の第１実施形態に係る情報表示物ホルダを斜め後方から見た斜視図である。
【図２】図２は図１の情報表示物ホルダの分解斜視図である。
【図３】図３は図１の情報表示物ホルダの支持部の背面図である。
【図４】図４は図１の情報表示物ホルダの支持部の正面図である。
【図５】図５は図１の情報表示物ホルダの支持部の展開図である。
【図６Ａ】図６Ａは図３のVIA−VIA線に沿う断面図である。
【図６Ｂ】図６Ｂは図３のVIB−VIB線に沿う断面図である。
【図７】図７は図１の情報表示物ホルダの第１のスライド部材の展開図である。
【図８】図８は図１の情報表示物ホルダの固定部の展開図である。
【図９】図９は図１の情報表示物ホルダの第２のスライド部材の展開図である。
【図１０Ａ】図１０Ａは図１のXA−XA 線に沿う部分拡大断面図である。
【図１０Ｂ】図１０Ｂは図１のXB−XB 線に沿う部分拡大断面図である。
【図１１】図１１は図１の情報表示物ホルダの使用状態を示す情報表示物ホルダの正面である。
【図１２】図１２は図１１のXII−XII線に沿う断面図である。
【図１３Ａ】図１３Ａはこの発明の変形例に係る情報表示物の振れ止め部材の斜視図である。
【図１３Ｂ】図１３Ｂは第１のスライド部材に接着される固定部の摩擦力増大部に図１３Ａの振れ止め部材が接着された状態を示す斜視図である。
【図１３Ｃ】図１３Ｃは第２のスライド部材に接着される固定部の摩擦力増大部に図１３Ａの振れ止め部材が接着された状態を示す斜視図である。
【図１４】図１４はこの発明の第２実施形態に係る情報表示物ホルダを斜め後方から見た斜視図である。
【図１５】図１５は図１４の情報表示物ホルダの分解斜視図である。
【発明を実施するための形態】
【００２１】
以下、この発明の実施の形態を図面に基づいて説明する。
【００２２】
この発明の第１実施形態に係る情報表示物ホルダは、図１１及び図１２に示すように、垂直方向（上下方向ＵＤに同じ）に積層された複数のタイヤ２の外周面２ａに配置される情報表示物６（図４参照）を支持するホルダである。情報表示物６は、例えば、タイヤ２に関する情報（商品名、価格、サイズ、コピー等）が表示された紙（その紙が台紙に貼り付けられたものも含む。）、ポスターを保持するホルダ、筒、いわゆるシート型の液晶や有機ＥＬのディスプレイ等である。なお、図６Ａ、図６Ｂ、図１０Ａ、図１０Ｂ、図１１、図１２において、情報表示物６の図示を省略した。
【００２３】
図１〜図５、図１１に示すように、情報表示物ホルダは、積層された複数のタイヤ２の外周面２ａに配置されて、情報表示物６を支持する支持部１と、支持部１にスライド可能に装着される第１のスライド部材（スライド部材）５と、支持部１に対して位置決めされた第１のスライド部材５を支持部１に固定する一方の固定部（固定部）８と、支持部１にスライド可能に装着される第２のスライド部材（スライド部材）１０５と、支持部１に対して位置決めされた第２のスライド部材１０５を支持部１に固定する他方の固定部（固定部）８とを備えている。
【００２４】
この実施形態では、支持部１と第１のスライド部材５と第２のスライド部材１０５と２つの固定部８とがそれぞれプラスチックダンボールをプレス加工することによって一体形成されている。この実施形態では、支持部１と第１のスライド部材５と第２のスライド部材１０５と２つの固定部８との材料として、図示しない表側のライナと裏側のライナと両方のライナの間に等間隔に配置される複数のリブとで構成されるプラスチックダンボールが使用されている。但し、支持部１と第１のスライド部材５と第２のスライド部材１０５と２つの固定部８との材質はプラスチックダンボールに限定されるものではなく、他の合成樹脂等でもよい。
【００２５】
支持部１は、図２、図３に示すように、支持部本体１Ａと、支持部本体１Ａのプレート部３の背面にスペーサ１Ｂを介して固定されたスライド部材支持部１Ｃとを有する。情報表示物６は支持部本体１Ａのプレート部３の表面に配置される。スペーサ１Ｂとスライド部材支持部１Ｃとはそれぞれフレーム状である。スライド部材支持部１Ｃの開口部１ＣＯの縦寸法（上下方向ＵＤの長さ）ｄ２０はスペーサ１Ｂの開口部１ＢＯの縦寸法ｄ２より短く、スライド部材支持部１Ｃの開口部１ＣＯの横寸法（左右方向ＬＲの長さ）ｄ１０はスペーサ１Ｂの開口部１ＢＯの横寸法ｄ１より短いので、支持部本体１Ａとスペーサ１Ｂとスライド部材支持部１Ｃとで形成される空間に、第１のスライド部材５のスライド部５３、一方の固定部８の接触力増大部８２、第２のスライド部材１０５のスライド部１５３、及び他方の固定部８の接触力増大部８２を収容することができる。
【００２６】
情報表示物ホルダを組み立てる前、支持部本体１Ａ、スペーサ１Ｂ、スライド部材支持部１Ｃ、第１のスライド部材５、一方の固定部８、第２のスライド部材１０５、及び他方の固定部８はそれぞれ平板状である（図２、図５、図７、図６、図８、図９参照）。
【００２７】
図５に示すように、支持部本体１Ａは、情報表示物６が置かれる矩形のプレート部３と、プレート部３に連結され、山形に折り曲げられてプレート部３上の情報表示物６を支持する一対の表示物支持部４とを備えている。
【００２８】
プレート部３は複数の連結孔３２と複数の凹部３２４とを有する。
【００２９】
各表示物支持部４は、プレート部３に折り曲げ可能に連なる１つの第１板体部４１と、第１板体部４１に折り曲げ可能に連なる１つの第２板体部４２と、第２板体部４２に連なり、プレート部３上の情報表示物６の縁部をプレート部３の表面に押しつける複数の第１突出部４３と、第２板体部４２に折り曲げ可能に連なる複数の第２突出部４４と、複数の第１突出部４３のうちの両端（上端と下端）に位置する２つの第１突出部４３に折り曲げ可能に連なる第３突出部４５と、複数の第１突出部４３のうちの両端に位置する２つの第１突出部４３以外の残りの第１突出部４３に折り曲げ可能に連なる第４突出部４６とを有する。第１板体部４１、第２板体部４２、第１突出部４３、第２突出部４４、第３突出部４５及び第４突出部４６の形状はいずれもほぼ矩形である。連結孔３２は第２突出部４４を受け容れて第２板体部４２とプレート部３とを連結する。
【００３０】
支持部本体１Ａには、第１折曲線Ｎ１〜第５折曲線Ｎ５、第１１折曲線Ｎ１１、第１２折曲線Ｎ１２が形成されている。第１折曲線Ｎ１〜第５折曲線Ｎ５、第１１折曲線Ｎ１１、第１２折曲線Ｎ１２は一方のライナとリブとに入れた切れ込み（いわゆるハーフカット）である。第１折曲線Ｎ１〜第５折曲線Ｎ５、第１１折曲線Ｎ１１、第１２折曲線Ｎ１２は互いに平行である。
【００３１】
第２突出部４４は、第２板体部４２に折り曲げ可能に連なる第１領域４４１と、第１領域４４１に折り曲げ可能に連なる第２領域４４２と、第２領域４４２に折り曲げ可能に連なる第３領域４４３とを有する。
【００３２】
連結孔３２は、第２領域４４２と第３領域４４３とが通される第１の孔３２１と、第３領域４４３とが通される第２の孔３２２とで構成されている。
【００３３】
第１折曲線Ｎ１はプレート部３と第１板体部４１とを区分し、第２折曲線Ｎ２は第１板体部４１と第２板体部４２とを区分し、第３折曲線Ｎ３は第２板体部４２と第１領域４４１とを区分し、第４折曲線Ｎ４は第１領域４４１と第２領域４４２とを区分し、第５折曲線Ｎ５は第２領域４４２と第３領域４４３とを区分する。第１１折曲線Ｎ１１は第１突出部４３と第３突出部４５とを区分し、第１２折曲線Ｎ１２は第１突出部４３と第４突出部４６とを区分する。
【００３４】
第１突出部４３と第２突出部４４とは、情報表示物ホルダを組み立てる前、第１折曲線Ｎ１と平行な方向に沿って交互に配置されている（図５参照）。
【００３５】
第１のスライド部材５は、図２、図７に示すように、スライド部５３と、スライド部５３に折り曲げ可能に連なり、積層された複数のタイヤ２のうちの隣り合う２つのタイヤ２に挟まれるスライド部材本体５１と、第１のスライド部材本体５１に折り曲げ可能に連なり、隣り合う２つのタイヤ２の少なくとも一方のタイヤ２の中心孔２ｈに入り込み、隣り合う２つのタイヤ２の間からの第１のスライド部材５の抜けを妨げるストッパ部５２とを有する。
【００３６】
スライド部５３はＵ字形であり、スライド部５３の横寸法５３ｄ１は、スライド部材支持部１Ｃの開口部１ＣＯの横寸法ｄ１０より長く、スペーサ１Ｂの開口部１ＢＯの横寸法ｄ１より短い。
【００３７】
スライド部材本体５１の折曲線Ｎ６側の端部の横寸法はスライド部材支持部１Ｃの開口部１ＣＯの横寸法ｄ１０より短いが、スライド部材本体５１の自由端部５１１の横寸法５１ｄ１はスライド部材支持部１Ｃの開口部１ＣＯの横寸法ｄ１０より長く、スペーサ１Ｂの開口部１ＢＯの横寸法ｄ２より短い。
【００３８】
ストッパ部５２は山形に折れ曲げ可能である（図１、図２参照）。
【００３９】
山形に折り曲げられたストッパ部５２は、スライド部材本体５１に形成された孔５１ａに挿入されてスライド部材本体５１に連結される。
【００４０】
ストッパ部５２には、スライド部材本体５１に形成された孔５１ａの周縁部に引っ掛ける切欠き５２ａが設けられている（図７参照）。
【００４１】
図７に示すように、この実施形態では、プレス加工において、スライド部材本体５１とスライド部５３とストッパ部５２とがそれぞれ所定形状に形成されるとともに、スライド部材本体５１の孔５１ａが形成され、更に、スライド部材本体５１とスライド部５３とを区分する第６折曲線Ｎ６と、スライド部材本体５１とストッパ部５２とを区分する第７折曲線Ｎ７と、ストッパ部５２を固定端側領域Ａ２と自由端側領域Ａ１とに区分する第８折曲線Ｎ８とが形成される。第６折曲線Ｎ６はスライド部５３に対してスライド部材本体５１を折り曲げ易くするための単なる折れ目である。第７折曲線Ｎ７はスライド部材本体５１に対してストッパ部５２を折り曲げ易くするための切れ込みである。第８折曲線Ｎ８は固定端側領域Ａ２と自由端側領域Ａ１とを山形に折り曲げ易くするための切れ込みである。第６折曲線Ｎ６〜第８折曲線Ｎ８は互いに平行である。
【００４２】
固定部８は、図２、図８に示すように、スライド部材本体５１，１５１に図示しない両面テープで接着される連結部８１と、連結部８１に折り曲げ可能に連なる摩擦力増大部８２とを有する。連結部８１と摩擦力増大部８２とは第９折曲線Ｎ９で区分される。第９折曲線Ｎ９は連結部８１に対して摩擦力増大部８２を折り曲げ易くするための単なる折れ目である。連結部８１の横寸法８ｄ１は、スライド部材支持部１Ｃの開口部１ＣＯの横寸法ｄ１０より短い。摩擦力増大部８２の横寸法８２ｄ１はスライド部材支持部１Ｃの開口部１ＣＯの横寸法ｄ１０より長く、スペーサ１Ｂの開口部１ＢＯの横寸法ｄ１より短い。
【００４３】
固定部８の摩擦力増大部８２の両端部は第１のスライド部材５のスライド部５３とスライド部材支持部１Ｃとの間に挿入されて、支持部１に対する第１のスライド部材５の摩擦力が増大する。
【００４４】
第２のスライド部材１０５は、図２、図９に示すように、スライド部１５３と、スライド部１５３に折り曲げ可能に連なり、複数のタイヤ２のうちの隣り合う２つのタイヤ２に挟まれるスライド部材本体１５１とを有する。第２のスライド部材１０５は第１のスライド部材５の下方に配置される（図１参照）。スライド部材本体１５１とスライド部１５３とは折曲線１０で区分される。第１０折曲線Ｎ１０はスライド部１５３に対してスライド部材本体１５１を折り曲げ易くするための単なる折れ目である。
【００４５】
スライド部１５３はＵ字形であり、スライド部１５３の横寸法１５３ｄ１は、スライド部材支持部１Ｃの開口部１ＣＯの横寸法ｄ１０より長く、スペーサ１Ｂの開口部１ＢＯの横寸法ｄ１より短い。
【００４６】
スライド部材本体１５１の折曲線１０側の端部の横寸法はスライド部材支持部１Ｃの開口１ＣＯ部の横寸法ｄ１０より短いが、スライド部材本体１５１の自由端部の横寸法１５１ｄ１はスライド部材支持部１Ｃの開口１ＣＯ部の横寸法ｄ１０より長く、スペーサ１Ｂの開口部１ＢＯの横寸法ｄ１より短い。
【００４７】
固定部８の摩擦力増大部８２の両端部は、第２のスライド部材１０５のスライド部１５３とスライド部材支持部１Ｃとの間に挿入されて、支持部１に対する第２のスライド部材１０５の摩擦力が増大する。
【００４８】
第１のスライド部材５のスライド部材本体５１の自由端部５１１はプレート部３とスライド部材支持部１Ｃとの間に挿入でき、第２のスライド部材１０５のスライド部材本体１５１の自由端部１５１１はプレート部３とスライド部材支持部１Ｃとの間に挿入できるので、情報表示物ホルダを二次元形状の状態で倉庫に収納でき、省スペース化を実現できる。
【００４９】
次に、情報表示物ホルダの組立方法の一例を説明する。
【００５０】
まず、情報表示物ホルダの支持部１の組立方法の一例を説明する。
【００５１】
支持部本体１Ａの各表示物支持部４を山形に折り曲げるとともに第４突出部４６を折り曲げ、第２突出部４４の第２領域４４２と第３領域４４３とをプレート部３の連結孔３２の第１の孔３２１に挿入し、第２突出部４４の第３領域４４３をプレート部３の連結孔３２の第２の孔３２２に挿入する。更に、第３突出部４５を折り曲げて凹部３２４に挿入する。その結果、第２板体部４２とプレート部３とが連結されるとともに、第３突出部４５の先端部がプレート部３の表面から突き出る（図６Ｂ参照）。また、第１突出部４３と第４突出部４６とはプレート部３の表面に押し付けられる（図６Ａ参照）。
【００５２】
その後、情報表示物６をプレート部３上に配置する。このとき、情報表示物６の両側部がプレート部３と第１突出部４３とに挟まれるようにする。その結果、第１突出部４３及び第４突出部４６によって、プレート部３上の情報表示物６の両側部がプレート部３の表面に押しつけられる。このとき情報表示物６は第４突出部４６と第１突出部４３の両端部との三点で支持される（図６Ａ参照）。但し、表示物支持部４の上端と下端とに位置する第１突出部４３は第４突出部４６を有していないので、第１突出部４３の先端部が情報表示物６をプレート部３の表面に押しつける。
【００５３】
次に、支持部本体１Ａのプレート部３の背面に、スペーサ１Ｂを両面テープで接着する。
【００５４】
その後、第１のスライド部材５のスライド部材本体５１を折曲線Ｎ６でスライド部５３に対してほぼ垂直に折り曲げる。一方の固定部８の連結部８１を折曲線Ｎ９で摩擦力増大部８２に対してほぼ垂直に折り曲げる。摩擦力増大部８２の両端部をスライド部５３に両面テープで接着し、連結部８１をスライド部材本体５１の折曲線Ｎ６側の端部に両面テープで接着する。
【００５５】
その後、ストッパ部５２を起こして山形に折り曲げ、ストッパ部５２の先端部をスライド部材本体５１の孔５１ａに挿入する。ストッパ部５２の先端部をスライド部材本体５１の孔５１ａに挿入すると、ストッパ部５２の先端部の切欠き５２ａが孔５１ａの周縁部に引っ掛かり、ストッパ部５２がスライド部材本体５１に連結される。
【００５６】
次に、第２のスライド部材１０５のスライド部材本体１５１を折曲線Ｎ１０でスライド部１５３に対してほぼ垂直に折り曲げる。他方の固定部８の連結部８１を折曲線Ｎ９で摩擦力増大部８２に対してほぼ垂直に折り曲げる。摩擦力増大部８２の両端部をスライド部１５３に両面テープで接着し、連結部８１をスライド部材本体１５１の折曲線Ｎ１０側の端部に両面テープで接着する。
【００５７】
第１のスライド部材５と第２のスライド部材１０５とが、プレート部３の背面上の、スペーサ１Ｂで囲まれた領域に配置されたら、スペーサ１Ｂにスライド部材支持部１Ｃを両面テープで接着する。その結果、第１のスライド部材５のスライド部５３とスライド部材支持部１Ｃとの間に摩擦力増大部８２の両端部が挟まれて、支持部１に対する第１のスライド部材５の摩擦力が増大し、支持部１に第１のスライド部材５が固定される（図１０Ａ、図１０Ｂ参照）。
【００５８】
同様に、第２のスライド部材１０５のスライド部１５３とスライド部材支持部１Ｃとの間に摩擦力増大部８２の両端部が挟まれて、支持部１に対する第２のスライド部材１０５の摩擦力が増大し、支持部１に第２のスライド部材１０５が固定される（図１０Ａ、図１０Ｂ参照）。
【００５９】
このようにして、情報表示物ホルダの組立が完了する。
【００６０】
次に、情報表示物ホルダの使用方法の一例を説明する。なお、予め台７に３つのタイヤ群が展示されているものとする。各タイヤ群は積層された４つのタイヤ２で構成される。予め情報表示物６は情報表示物ホルダに保持されているものとする。
【００６１】
各タイヤ群の４つのタイヤ２のうちの上から一番目のタイヤ２と二番目のタイヤ２とで第１のスライド部材５のスライド部材本体５１を挟持させ、上から二番目のタイヤ２と三番目のタイヤ２とで第２のスライド部材１０５のスライド部材本体１５１を挟持させる。このとき山形のストッパ部５２の頂点を上方へ向けるとともに、支持部１のプレート部３の背面とタイヤ２の外周面２とを対向させる。
【００６２】
情報表示物６を支持する支持部１に第１のスライド部材５がスライド可能に装着され、支持部１に対して位置決めされた第１のスライド部材５が一方の固定部８によって支持部１に固定されるので、３つのタイヤ群のタイヤ幅が異なるときも、各タイヤ群に装着された情報表示物ホルダの上端の位置（上下方向ＵＤにおける情報表示物ホルダの支持部１の上端の位置）を一致させることができる（図１１参照）。
【００６３】
また、第１突出部４３の両端部と第４突出部４６とによってプレート部３上の情報表示物６の縁部（第１実施形態では情報表示物６の両側部）がプレート部３の表面に押しつけられるので、情報表示物６が雨や日光に当たっても情報表示物６が剥がれにくい。また、情報表示物６をプレート部３に接着剤や両面テープで固着しなくともよいので、プレート部３の連結孔３２から第２突出部４４を引き抜くことにより、情報表示物６をプレート部３から外せるので、情報表示物６を他の情報表示物６に簡単に取り替えることができる。
【００６４】
第１実施形態は、情報表示物６を簡単に取り替えることができ、情報表示物ホルダを何度でも使用することもできるので、省資源に資する。また、外力によって情報表示物ホルダが外れたり、位置ずれしたりするのをより確実に妨げることができる。
【００６５】
また、第３突出部４５の先端部がプレート部３の表面から突き出るので、何らかの原因により情報表示物ホルダの情報表示物保持力が低下したとしても、第３突出部４５が情報表示物６の落下を阻止し得る。
【００６６】
更に、各タイヤ群の４つのタイヤ２のうちの上から二番目のタイヤ２と三番目のタイヤ２とで第２のスライド部材１０５のスライド部材本体１５１が挟持されるので、支持部１のプレート部３が前後方向ＦＲへ傾かず、プレート部３が上下方向ＵＤと平行に維持され（図１２参照）、プレート部３が安定する。
【００６７】
次に、この発明の第１実施形態の変形例を図１３Ａ〜図１３Ｃに基づいて説明する。
【００６８】
上述の第１実施形態と共通する部分については同一符号を付してその説明を省略する。以下、上述の第１実施形態との主な相違部分についてだけ説明する。下記相違部分を除き、この変形例は第１実施形態と同じ構成を有する。
【００６９】
この変形例では、第１のスライド部材５や第２のスライド部材１０５をスライドさせたときの第１のスライド部材５や第２のスライド部材１０５が左右向ＬＲに振れるのを抑制する振れ止め部材９が採用されている。
【００７０】
図１３Ａは振れ止め部材９の斜視図であり、図１３Ｂは第１のスライド部材５に接着される固定部８の摩擦力増大部８２に振れ止め部材９が接着された状態を示す斜視図であり、図１３Ｃは第２のスライド部材１０５に接着される固定部８の摩擦力増大部８２に振れ止め部材９が接着された状態を示す斜視図である。
【００７１】
振れ止め部材９はプラスチック段ボールで形成されている。振れ止め部材９は矩形であり、振れ止め部材９の横寸法９ｄ１は、スライド部材支持部１Ｃの開口部１ＣＯの横寸法ｄ１０とほぼ同じかわずかに短く、振れ止め部材９の縦寸法９ｄ２は、固定部８の摩擦力増大部８２の縦寸法８２ｄ２にほぼ同じかわずかに長い。
【００７２】
第１のスライド部材５や第２のスライド部材１０５をスライドさせたときに、第１のスライド部材５や第２のスライド部材１０５が左右方向ＬＲへ振れようとしても、振れ止め部材９がスライド部材支持部１Ｃの開口部１ＣＯの内周面に当たり、第１のスライド部材５や第２のスライド部材１０５の振れが抑制されるので、第１のスライド部材５や第２のスライド部材１０５は上下方向ＵＤと平行に動くように案内される。
【００７３】
次に、この発明の第２実施形態を図１４、図１５に基づいて説明する。
【００７４】
上述の第１実施形態と共通する部分については同一符号を付してその説明を省略する。以下、上述の第１実施形態との主な相違部分についてだけ説明する。下記相違部分を除き、第２実施形態は第１実施形態と同じ構成を有する。
【００７５】
第１実施形態では、上述のように第１のスライド部材５が、スライド部５３と、スライド部５３に折り曲げ可能に連なるスライド部材本体５１とを有し、一方の固定部８の連結部８１がスライド部材本体５１の折曲線Ｎ６側の端部に両面テープで接着され、第１のスライド部材５のスライド部５３とスライド部材支持部１Ｃとの間に固定部８の摩擦力増大部８２の両端部が挟まれて、支持部１に対する第１のスライド部材５のスライド部５３の摩擦力が増大され、支持部１に第１のスライド部材５が固定される。
【００７６】
これに対し、第２実施形態では、支持部１に対して位置決めされた第１のスライド部材５を支持部１に固定する固定部８と、支持部１に対して位置決めされた第２のスライド部材１０５を支持部１に固定する固定部８とは採用されていない。
【００７７】
第２実施形態では、支持部１に対して位置決めされた第１のスライド部材５を支持部１に、固定部としての粘着テープ１０８で固定するようにした。
【００７８】
第２実施形態は、第１実施形態と同様の効果を奏する。
【００７９】
なお、上述の実施形態では、２つのスライド部材（第１のスライド部材５、第２のスライド部材１０５）を用いたが、１つのスライド部材を用いてもよい。この場合、ストッパ部を有するスライド部材（例えば第１のスライド部材５）を１つだけ用いてもよいし、ストッパ部を有さないスライド部材（例えば第２のスライド部材１０５）を１つだけ用いてもよい。
【００８０】
また、複数のスライド部材を用いる場合、ストッパ部を有するスライド部材とストッパ部を有さないスライド部材との組み合わせでもよいし、ストッパ部を有するスライド部材だけを用いてもよいし、ストッパ部を有さないスライド部材だけを用いてもよい。
【符号の説明】
【００８１】
１  支持部
１Ａ  支持部本体
１Ｂ  スペーサ
１ＢＯ  スペーサの開口部
ｄ１  スペーサの開口部の横寸法
ｄ２  スペーサの開口部の縦寸法
１Ｃ  スライド部材支持部
１ＣＯ  スライド部材支持部の開口部
ｄ１０  スライド部材支持部の開口部の横寸法
ｄ２０  スライド部材支持部の開口部の縦寸法
２  タイヤ
２ａ  タイヤの外周面
２ｈ  タイヤの中心孔
３  プレート部
３２  連結孔
３２１  第１の孔
３２２  第２の孔
３２４  凹部
４  表示物支持部
４１  第１板体部
４２  第２板体部
４３  第１突出部
４４  第２突出部
４５  第３突出部
４６  第４突出部
４４１  第１領域
４４２  第２領域
４４３  第３領域
５  第１のスライド部材（スライド部材）
５１  スライド部材本体
５１１  スライド部材本体の自由端部
５１ａ  孔
５１ｄ１  スライド部材本体の自由端部の横寸法
５２  ストッパ部
５２ａ  切欠き
Ａ１  自由端側領域
Ａ２  固定端側領域
５３  スライド部
５３ｄ１  スライド部の横寸法
６  情報表示物
７  台
８  固定部
８１  連結部
８１ｄ１  連結部の横寸法
８２  摩擦力増大部
８２ｄ１  摩擦力増大部の横寸法
９  振れ止め部材
９ｄ１  振れ止め部材の横寸法
９ｄ２  振れ止め部材の縦寸法
１０５  第２のスライド部材（スライド部材）
１５１  スライド部材本体
１５１１  スライド部材本体の自由端部
１５１ｄ１  スライド部材本体の自由端部の横寸法
１５３  スライド部
１５３ｄ１  スライド部の横寸法
１０８  粘着テープ（固定部）
Ｎ１〜Ｎ１２  第１折曲線〜第１２折曲線
ＵＤ  上下方向
ＬＲ  左右方向
ＦＲ  前後方向
【要約】
【課題】隣接する複数のタイヤ群のタイヤ幅が異なるとき、各タイヤ群に装着された情報表示物ホルダの上部の位置を揃えることができるようにする。
【解決手段】この情報表示物ホルダは、複数のタイヤの外周面に配置され、タイヤに関する情報が表示される情報表示物を支持する支持部１と、支持部１にスライド可能に装着され、複数のタイヤのうちの隣り合う２つのタイヤに挟まれる第１のスライド部材５と、支持部１に対して位置決めされた第１のスライド部材５を支持部１に固定する固定部８とを備えている。
【選択図】図１【図１】
0006867058.tif 000002
【図２】
0006867058.tif 000003
【図３】
0006867058.tif 000004
【図４】
0006867058.tif 000005
【図５】
0006867058.tif 000006
【図６Ａ】
0006867058.tif 000007
【図６Ｂ】
0006867058.tif 000008
【図７】
0006867058.tif 000009
【図８】
0006867058.tif 000010
【図９】
0006867058.tif 000011
【図１０Ａ】
0006867058.tif 000012
【図１０Ｂ】
0006867058.tif 000013
【図１１】
0006867058.tif 000014
【図１２】
0006867058.tif 000015
【図１３Ａ】
0006867058.tif 000016
【図１３Ｂ】
0006867058.tif 000017
【図１３Ｃ】
0006867058.tif 000018
【図１４】
0006867058.tif 000019
【図１５】
0006867058.tif 000020